(57)【要約】【課題】  本発明は通常時にはコイルスプリング等の付勢機構を用いることなく、天井目地パネルをほぼ水平状態に保持することができるとともに、地震で急に目地部が狭くなっても天井目地パネルの先端部が衝突したりすることなく、自重で下方へ回動させて、損傷を効率よく阻止でき、かつ大きな異なる左右方向の揺れ動きでも、その揺れ動きを吸収することができる天井目地パネルの支持装置を得るにある。【解決手段】  通常時にはコイルスプリング等の付勢機構を用いることなく、天井目地パネルをほぼ水平状態に保持することができるとともに、地震で急に目地部が狭くなっても天井目地パネルの先端部が衝突したりすることなく、自重で下方へ回動させて、損傷を効率よく阻止でき、かつ大きな異なる左右方向の揺れ動きでも、その揺れ動きを吸収することができる天井目地パネルの支持装置を構成している。【選択図】  図２
2010265707.tif 000002
【特許請求の範囲】
【請求項１】
天井目地パネルを設置する部位の上部位置の一方の建物の目地部側外壁面に先端部が水平方向に回動できるように後端枢支部の角部を、取付け具を介して取付けられた四角枠形状のリンク機構と、このリンク機構の先端枢支部に枢支されかつ他方の建物の目地部側外壁面あるいは、該他方の建物の目地部側外壁面に取付けられた当接片と当接する当接片と、前記リンク機構の先端枢支部に枢支されかつ左右のバー部材より一方の建物の目地部側外壁面近傍まで突出させた一対の支持アームと、この一対の支持アームの先端部を一方の建物の目地部側外壁面に沿ってスライド移動させる一対の支持アームガイド部材と、この一対の支持アームガイド部材の外側部位の一方の建物の目地部側外壁面に後端部が枢支され、先端部が前記当接片にスライド移動可能に取付けられた一対のアームと、前記リンク機構の下部位置の一方の建物の目地部側外壁面に先端部が前記当接片の下部位置に位置し、かつ下方へ回動するようにヒンジ部材を介して取付けられた天井目地パネルの先端寄りの部位に固定されたワイヤー取付け部材に先端部が取付けられ、後端部が前記ワイヤー取付け部材と対応する部位の前記当接片に取付けられたガイドリング、このガイドリングと対応する部位の一方の建物の目地部側外壁面に取付けられた第２のガイドリング、この第２のガイドリングより前記一対のアームの一方のアームの先端部寄りの部位に取付けられた第３のガイドリングを通過して、他方のアームの先端部寄りの部位に固定された、通常時には天井目地パネルをほぼ水平に保持し、地震で目地部の幅が狭くなる寸法よりも大きい寸法状態で天井目地パネルの先端部を下方へ回動させることができるワイヤーとからなることを特徴とする天井目地パネルの支持装置。
【発明の詳細な説明】
【技術分野】
【０００１】
本発明は左右の建物間の目地部の天井部分を覆う天井目地パネルを、通常時にはほぼ水平状態で保持し、地震で目地部が狭くなると、天井目地パネルの先端部を下方へ回動させて、その揺れ動きを吸収する天井目地パネルの支持装置に関する。
【背景技術】
【０００２】
従来の天井目地パネルの支持装置は、地震の揺れ動きで目地部が狭くなると、天井目地パネルの中央部を上方へ回動させて、その揺れ動きを吸収するものが一般に使用されている。
しかしながら、天井目地パネルを設置する部位の左右の建物の目地部側天井躯体に、天井目地パネルの中央部を上方へ突出させて、その揺れ動きを吸収するスペースをとることができない所では、天井目地パネルの中央部あるいは先端部を下方へ回動させてその揺れ動きを吸収しなければならない。
このため、天井目地パネルの支持装置に巻取りドラムを用いた付勢機構や、左右の建物の目地部側の天井躯体に両端部が枢支された複数個の四角枠状のリンク機構を用いるため、構造が複雑で、コスト高になるとともに、左右の天井目地パネルを常時付勢機構の付勢力でほぼ水平状態に保つため、長期間の使用に問題があり、リンク機構によって、異なる左右方向の揺れ動き量に制限があるという欠点があった。
また、平常時には付勢機構のワイヤーで左右の天井目地パネルをほぼ水平に保持させているので、急に目地部が狭くなると、一方の天井目地パネルの先端部が付勢機構のワイヤーと衝突し、天井目地パネルの下方への回動がスムーズにできなかったり、ワイヤーや天井目地パネルが損傷しやすいという欠点があった。
【先行技術文献】
【特許文献】
【０００３】
【特許文献１】特開２００５−３０１２７号公報
【発明の概要】
【発明が解決しようとする課題】
【０００４】
本発明は以上のような従来の欠点に鑑み、通常時にはコイルスプリング等の付勢機構を用いることなく、天井目地パネルをほぼ水平状態に保持することができるとともに、地震で急に目地部が狭くなっても天井目地パネルの先端部が衝突したりすることなく、自重で下方へ回動させて、損傷を効率よく阻止でき、かつ大きな異なる左右方向の揺れ動きでも、その揺れ動きを吸収することができる天井目地パネルの支持装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は天井目地パネルを設置する部位の上部位置の一方の建物の目地部側外壁面に先端部が水平方向に回動できるように後端枢支部の角部を、取付け具を介して取付けられた四角枠形状のリンク機構と、このリンク機構の先端枢支部に枢支されかつ他方の建物の目地部側外壁面あるいは、該他方の建物の目地部側外壁面に取付けられた当接片と当接する当接片と、前記リンク機構の先端枢支部に枢支されかつ左右のバー部材より一方の建物の目地部側外壁面近傍まで突出させた一対の支持アームと、この一対の支持アームの先端部を一方の建物の目地部側外壁面に沿ってスライド移動させる一対の支持アームガイド部材と、この一対の支持アームガイド部材の外側部位の一方の建物の目地部側外壁面に後端部が枢支され、先端部が前記当接片にスライド移動可能に取付けられた一対のアームと、前記リンク機構の下部位置の一方の建物の目地部側外壁面に先端部が前記当接片の下部位置に位置し、かつ下方へ回動するようにヒンジ部材を介して取付けられた天井目地パネルの先端寄りの部位に固定されたワイヤー取付け部材に先端部が取付けられ、後端部が前記ワイヤー取付け部材と対応する部位の前記当接片に取付けられたガイドリング、このガイドリングと対応する部位の一方の建物の目地部側外壁面に取付けられた第２のガイドリング、この第２のガイドリングより前記一対のアームの一方のアームの先端部寄りの部位に取付けられた第３のガイドリングを通過して、他方のアームの先端部寄りの部位に固定された、通常時には天井目地パネルをほぼ水平に保持し、地震で目地部の幅が狭くなる寸法よりも大きい寸法状態で天井目地パネルの先端部を下方へ回動させることができるワイヤーとで天井目地パネルの支持装置を構成している。
【発明の効果】
【０００７】
以上の説明から明らかなように、本発明にあっては次に列挙する効果が得られる。
【０００８】
（１）地震で目地部が急に狭くなると、当接片が他方の当接片あるいは他方の建物の目地部側外壁面によって、一方の建物の目地部側外壁面方向に押し圧され、当接片にスライド移動可能に取付けられた一対のアームの先端部が近接する方向にスライド移動し、天井目地パネルをほぼ水平に保持していたワイヤーがゆるみ、天井目地パネルの自重で先端部が下方へ回動して、その揺れ動きを吸収することができる。
なお、一対のアームの先端部がスライド移動した距離以上にワイヤーが移動して、天井パネルの先端部が他方の建物の目地部側外壁面や他方の天井目地パネルの先端部と衝突して損傷するのを効率よく阻止することができる。
【０００９】
（２）前記（１）によって、天井目地パネルをワイヤーで支持しているので、長期間使用していても長さが変化したり、劣化したりするのを防止でき、長期間安定状態で使用することができる。
【００１０】
（３）前記（１）により、天井目地プレートの先端部を下方へ回動させて、地震時の目地部が狭くなる揺れ動きを吸収するので、天井目地部の上部に大きなスペースがなくても取付けることができる。
【００１１】
（４）前記（１）によって、リンク機構、当接片、一対の支持アーム、一対の支持アームガイド部材、一対のアームは水平方向にだけ移動や回動するため、天井目地プレートを、確実に水平状態を保つように支持することができる。
【図面の簡単な説明】
【００１２】
【図１】本発明を実施するための第１の形態の平面図。
【図２】図1の２−２線に沿う断面図。
【図３】図1の３−３線に沿う断面図。
【図４】本発明を実施するための第１の形態のリンク機構の説明図。
【図５】本発明を実施するための第１の形態の支持アームガイド部材の説明図。
【図６】本発明を実施するための第１の形態のワイヤーの取付け状態の説明図。
【図７】本発明を実施するための第１の形態の目地部が狭くなる状態を説明する平面図。
【図８】図7の８−８線に沿う断面図。
【図９】本発明を実施するための第１の形態の目地部が広くなる動作説明図。
【図１０】本発明を実施するための第２の形態の平面図。
【図１１】図１０の１１−１１線に沿う断面図。
【図１２】図１０の１２−１２線に沿う断面図。
【図１３】本発明を実施するための第３の形態の平面図。
【図１４】図１３の１４−１４線に沿う断面図。
【図１５】図１３の１５−１５線に沿う断面図。
【図１６】本発明を実施するための第３の形態の目地部が狭くなった動作説明図。
【発明を実施するための形態】
【００１３】
以下、図面に示す本発明を実施するための形態により、本発明を詳細に説明する。
【００１４】
図１ないし図９に示す本発明を実施するための第１の形態において、１は左右の建物２の天井目地部３を覆う天井目地装置で、この天井目地装置１は一方の建物２の目地部側外壁面２ａに後端部がヒンジ部材４を介して取付けられた先端部が他方の建物２の目地部側外壁面２ａ近傍に位置する回動可能な天井目地パネル５と、この天井目地パネル５の上部位置で、該天井目地パネル５を通常時にはほぼ水平状態に保持し、地震により目地部が狭くなると、前記天井目地パネル５の先端部が他方の建物２の目地部側外壁面２ａと衝突することなく下方へ回動させることができる本発明の天井目地パネルの支持装置６とで構成されている。
【００１５】
前記天井目地パネルの支持装置６は、前記天井目地パネル５を設置する部位の上部位置の一方の建物２の目地部側外壁面２ａに先端部が水平方向に回動できるように後端枢支部７ａの角部を、取付け具８を介して取付けられた四角枠形状のリンク機構７と、このリンク機構７の先端枢支部７ｂに枢支された他方の建物２の目地部側外壁面２ａと当接する当接片９と、前記リンク機構７の先端枢支部７ｂに枢支された左右のバー部材７ｃ、７ｃより前記一方の建物２の目地部側外壁面２ａ近傍まで突出させた一対の支持アーム１０、１０と、この一対の支持アーム１０、１０の先端部を、前記一方の建物２の目地部側外壁面２ａに沿って水平方向に上・下ローラ１１、１１を介してスライド移動させる一対の支持アームガイド部材１２、１２と、この一対の支持アームガイド部材１２、１２の外側部位の前記一方の建物２の目地部側外壁面２ａに後端部が枢支され、先端部が前記当接片９にスライド移動可能に取付けられた一対のアーム１３、１４と、前記リンク機構７の下部位置の天井目地パネル５の先端ほぼ中央部に固定されたワイヤー取付け部材１５に先端部が取付けられ、他端部が前記ワイヤー取付け部材１５と対応する部位の前記当接片９に取付けられたアイボルトを用いたガイドリング１６、このガイドリング１６と対応する部位の前記一方の建物２の目地部側外壁面２ａに取付けられたアイボルトを用いた第２のガイドリング１７、この第２のガイドリング１７より前記一対のアーム１３、１４の一方のアーム１４の先端部寄りの部位に取付けられたアイボルトを用いた第３のガイドリング１８をそれぞれ通過して、前記一対のアーム１３、１４の他方のアーム１３の先端部寄りの部位に固定されたワイヤー取付け部材１９に固定され、通常時には前記天井目地パネル５をほぼ水平に保持し、地震で目地部の幅が狭くなる寸法よりも大きい寸法状態で天井目地パネル５の先端部を下方へ回動させることができるワイヤー２０とで構成されている。
【００１６】
上記構成の天井目地パネルの支持装置６は、天井目地部３を覆っている天井目地パネル５を、図２に示すようにほぼ水平となるように保持している。
すなわち、天井目地パネル５の上部位置の一方の建物２の目地部側外壁面２ａにリンク機構７、一対の支持アーム１０、１０、一対の支持アームガイド部材１２、１２および一対のアーム１３、１４によって、当接片９がほぼ水平状態に保たれており、天井目地パネル５の先端中央部に一端部が取付けられ、ガイドリング１６、第２のガイドリング１７、第３のガイドリング１８およびワイヤー取付け部材１９に取付けられたワイヤー２０によって天井目地パネル５をほぼ水平に保っている。
【００１７】
地震により目地部が狭くなるように左右の建物２、２が揺れ動いた場合、図７および図８に示すように、当接片９が他方の建物２の目地部側外壁面２ａによって、一方の建物２の目地部側外壁面２ａ方向へ押し圧されるので、一対のアーム１３、１４の先端部が内側（近づく）方向にスライド移動するため、一対のアーム１３、１４の先端部の移動量および一方のアーム１４の移動量が＋された分だけワイヤー２０がゆるみ、天井目地パネル５の自重によって先端部がワイヤー２０のゆるみ分だけ下方へ回動する。
この時、天井目地パネル５を吊り下げている部分のワイヤー２０は当接片９の移動量のほぼ３倍の移動量があり、天井目地パネル５の先端部が他方の建物２の目地部側外壁面２ａに衝突する前に下方へ回動させて、その衝突を回避させることができる。
地震により目地部が広くなるように左右の建物２、２が揺れ動いた場合、図９に示すように天井目地パネル５が一方の建物２と一体となって、他方の建物２より離れて、その揺れ動きを吸収することができる。
[発明を実施するための異なる形態]
【００１８】
次に、図１０ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図１０ないし図１２に示す本発明を実施するための第２の形態において、前記本発明を実施するための第１の形態と主に異なる点は、天井目地パネル５の両端部寄りの先端部にワイヤー取付け部材１５、１５を固定して、ワイヤー２０、２０をガイドリング１６、１６、第２のガイドリング１７、１７、第３のガイドリング１８、１８およびワイヤー取付け部材１９、１９に後端部を固定した点で、このように構成した天井目地パネルの支持部材６Ａにしても、前記本発明を実施するための第１の形態と同様な作用効果が得られるとともに、長い天井目地パネル５でも平常時にはほぼ水平に位置でき、目地部が狭くなった場合に、天井目地パネル５の先端部を下方へ回動させて、その揺れ動きを吸収することができる。
【００２０】
図１３ないし図１６に示す本発明を実施するための第３の形態において、前記本発明を実施するための第２の形態と主に異なる点は、一方の建物２の目地部側外壁面２ａと他方の建物２の目地部側外壁面２ａとにほぼ中央部で当接片９、９が当接するようにリンク機構７、７、一対の支持アーム１０、１０、１０、１０、一対の支持アームガイド部材１２、１２、１２、１２、一対のアーム１３、１４、１３、１４を取付けるとともに、一方の天井目地パネル５Ａの先端部に他方の天井目地パネル５の先端部が入り込む凹部２１を形成した点で、このように構成された天井パネルの支持装置１Ｂにしても、前記本発明を実施するための第２の形態と同様な作用効果が得られるとともに、目地部３の幅寸法の広い部分に設置することができる。
【産業上の利用可能性】
【００２１】
本発明は天井目地パネルの支持装置を製造する産業で利用される。
【符号の説明】
【００２２】
１：天井目地装置、      ２：建物、
３：天井目地部、      ４：ヒンジ部材、
５：天井目地パネル、
６、６Ａ、６Ｂ：天井目地パネルの支持装置、
７ａ：後端枢支部、      ７ｂ：先端枢支部、
７：リンク機構、      ８：取付け具、
９：当接片、        １０：支持アーム、
１１：ローラ、      １２：支持アームガイド部材、
１３：アーム、      １４：アーム、
１５：ワイヤー取付け部材、  １６：ガイドリング、
１７：第２のガイドリング、  １８：第３のガイドリング、
１９：ワイヤー取付け部材、  ２０：ワイヤー、
２１：凹部。
【図１】
2010265707.tif 000003
【図２】
2010265707.tif 000004
【図３】
2010265707.tif 000005
【図４】
2010265707.tif 000006
【図５】
2010265707.tif 000007
【図６】
2010265707.tif 000008
【図７】
2010265707.tif 000009
【図８】
2010265707.tif 000010
【図９】
2010265707.tif 000011
【図１０】
2010265707.tif 000012
【図１１】
2010265707.tif 000013
【図１２】
2010265707.tif 000014
【図１３】
2010265707.tif 000015
【図１４】
2010265707.tif 000016
【図１５】
2010265707.tif 000017
【図１６】
2010265707.tif 000018